(57)【要約】      （修正有）【課題】塗料容器をスプレーガンの吹付け軸方向に対し平行にどの角度にも簡単に変更固定できる継手を提供し、塗装作業の自由度を広げるとともに、塗料容器が所定の角度で確実に保持できる。【解決手段】スプレーガンに、その噴霧方向に交差する方向に塗料容器を首振り可能に接続する継手において、継手はスプレーガンの噴霧方向に交差する方向にスプレーガンに取り付けたネジ部を有する連結部と、連結部に同軸で、かつ塗料容器に交差する方向に取り付けられ、かつネジ部を有する接続管とで構成されており、スプレーガンの連結部と塗料容器の接続管とを回転可能に連結するとともに、継手部分に、塗料容器を所定の角度に保持する角度保持機構を備えるようにしたスプレーガンの容器接続継手。【選択図】図２
0003116288.tif 000002
【実用新案登録請求の範囲】
【請求項１】
スプレーガンに、その噴霧方向に交差する方向に塗料容器を首振り可能に接続する継手において、前記継手はスプレーガンの噴霧方向に交差する方向にスプレーガンに取り付けたネジ部を有する連結部と、前記連結部に同軸で、かつ前記塗料容器に交差する方向に取り付けられ、かつネジ部を有する接続管とで構成されており、前記スプレーガンの連結部と塗料容器の接続管とを回転可能に連結するとともに、前記継手部分に、塗料容器を所定の角度に保持する角度保持機構を備えるようにしたことを特徴とするスプレーガンの容器接続継手。
【請求項２】
前記継手部分に設けた角度保持機構が、前記連結部に設けた雄ネジと塗料容器の前記接続管端部に回転可能に取り付けた雌ネジ部とからなる連結手段と、前記雌ネジ部部分において、接続管の外周上に保持されて前期雄ネジ部先端に係止するワッシャと、このワッシャと前記雌ネジ部内壁との間に介装したコイル状のバネとからなり、前記塗料容器を首振り可能とするとともに、前記コイル状のバネによって所定の角度で保持することができるようにしたことを特徴とする請求項１記載のスプレーガンの容器接続継手。
【考案の詳細な説明】
【技術分野】
【０００１】
この考案は塗装用スプレーガン、特に小形の小さな面積、少量の塗装を行うスプレーガンにおいて、簡単に容器の角度変更が可能で、吹付け方向の変化に柔軟に対応できるようにしたスプレーガンの容器接続継手に関する。
【背景技術】
【０００２】
一般にこの種のスプレーガンは塗料を入れる容器が、スプレーガンの塗料供給口に取り付けられ、吹付け空気の噴射による吸い上げ力を利用して塗料を吸い上げるとともに塗料ノズルから噴出する構成となっている。通常は塗料容器はスプレーガンにほぼ直交して固定されるため、スプレーガンはほぼ水平に近い状態での吹付け、すなわち立面に近い状態の塗装面に限られる。
【０００３】
しかし被塗装物の位置を簡単に変えられない場合はスプレーガンの吹付け方向を変える必要があり、そのためにスプレーガンの横方向に塗料容器の取付継手を設け、Ｌ形に通路を形成した容器側の継手とを結合させたスプレーガンがみられる。このようなスプレーガンは継手部が回転自在になっていてスプレーガンの吹付け角度に関係なく容器を正常な位置に固定することができ、吹付け方向の自由度が得られている。
【０００４】
他方、特開２００３−１７００８７公報（特許文献１参照）には、スプレーガンへの容器の取付がワンタッチで確実にでき、しかもスプレーガンの吹付け軸方向に対し平行にどの角度にも簡単に変更固定できる継手を提供し、塗装作業の自由度を広げ、色替え時のスピードアップ、洗浄の容易化を可能にし、あわせて容器を上にして重力での塗料供給方式にも使用できるようにしたスプレーガンの容器接続継手が示されている。
【特許文献１】特開２００３−１７００８７公報
【考案の開示】
【考案が解決しようとする課題】
【０００５】
ところで、前者においてスプレーガンは継手部が回転自在になっていてスプレーガンの吹付け角度に関係なく容器を正常な位置に固定することができ、吹付け方向の自由度が得られている。しかしながら、上記継手はどの角度にも簡単に変更固定できる利点があるとはいえ、継手の連結が単なるネジで構成されているため、緩んで容器が勝手に被塗装物の側に倒れてしまうという欠点があった。
後者においても、継手の連結が単なるネジで構成されている点は共通しており、同様に緩んで容器が勝手に被塗装物の側に倒れてしまうという欠点があった。
【０００６】
この考案は、塗料容器をスプレーガンの吹付け軸方向に対し平行にどの角度にも簡単に変更固定できる継手を提供し、塗装作業の自由度を広げるとともに、塗料容器が所定の角度で確実に保持できるようにしたものである。
【課題を解決するための手段】
【０００７】
この考案のスプレーガンの容器接続継手は、スプレーガンに、その噴霧方向に交差する方向に塗料容器を首振り可能に接続する継手において、前記継手はスプレーガンの噴霧方向に交差する方向にスプレーガンに取り付けたネジ部を有する連結部と、前記連結部に同軸で、かつ前記塗料容器に交差する方向に取り付けられ、かつネジ部を有する接続管とで構成されており、前記スプレーガンの連結部と塗料容器の接続管とを回転可能に連結するとともに、前記継手部分に、塗料容器を所定の角度に保持する角度保持機構を備えるようにしたことを特徴とするものである。
【０００８】
この考案のスプレーガンの容器接続継手は、前記継手部分に設けた角度保持機構が、前記連結部に設けた雄ネジと塗料容器の前記接続管端部に回転可能に取り付けた雌ネジ部とからなる連結手段と、前記雌ネジ部部分において、接続管の外周上に保持されて前期雄ネジ部先端に係止するワッシャと、このワッシャと前記雌ネジ部内壁との間に介装したコイル状のバネとからなり、前記塗料容器を首振り可能とするとともに、前記コイル状のバネによって所定の角度で保持することができるようにしたことをも特徴とするものである。
【考案の効果】
【０００９】
以上のようにこの考案に係るスプレーガンの容器接続継手によれば、塗料容器を首振り可能に接続するばかりか、内蔵した角度保持機構が塗料容器を所定の角度に確実に保持することにより、塗料容器が倒れて被塗装物に付着し、塗料を剥がしたり傷付けたりするおそれがなくなった。
したがって、塗料容器が倒れて被塗装物に付着し、塗料を剥がしたり傷付けた場合などのように、回復不可能なトラブルを生じさせる心配がなく、被塗装物へのスプレーガンによる吹付け作業を簡単かつ確実に行なえるようになった。
【００１０】
またこの考案によるスプレーガンの容器接続継手は、継手部分に角度保持機構を内蔵させるだけの簡単な構造であり、塗装部位に限定されず自由な方向へのスプレーができ、使用の幅を大きく広げることができる。
【考案を実施するための最良の形態】
【００１１】
以下に、この考案のスプレーガンの容器接続継手の実施の形態を、添付図面に基いて詳細に説明する。
図１はこの考案のスプレーガンの容器接続継手の一実施例を示す側面図、図２は継手部分を分解した状態の正面図、図３は継手部分の拡大断面図である。
【００１２】
図１ないし図３において、スプレーガン本体１１は周知のスプレーガンで構造自体限定されないが、塗料の供給口がスプレーガン本体１１の側面にあり、スプレーの軸とは交差する方向に塗料容器１２を首振り可能に接続している。
すなわち、前記継手はスプレーガン本体１１の噴霧方向（スプレーの軸）と交差する方向にスプレーガン本体１１から突出するよう連結部１３が取り付けてある。またこの連結部１３に同軸で、かつ前記塗料容器１２下端には、この塗料容器１２と交差する方向に接続管１４が取り付けてある。
【００１３】
そして前記継手は、前記連結部１３の外周に設けた雄ネジ１５と塗料容器１２の前記接続管１４の端部に回転可能に取り付けた雌ネジ部１６とからなる連結手段を備えており、前記スプレーガン本体１１の連結部１３と塗料容器１２の接続管１４とを回転可能に連結している。
それと同時に、前記継手部分には、塗料容器１２を所定の角度に保持する角度保持機構１７が取り付けられている。
【００１４】
そして、前記継手部分に設けた角度保持機構１７は、前記連結部１３に設けた雄ネジ１５と塗料容器１２の前記接続管１４の端部に回転可能に取り付けた雌ネジ部１６とからなる連結手段を含み、前記継手部分に内蔵された接続管１４の外周上に保持されて雄ネジ１５先端に係止するワッシャ１８と、このワッシャ１８と前記接続管１４内壁との間に介装したコイル状のバネ１９とで構成されている。２０は連結部１３と接続管１４の傾斜した当接部に取り付けたパッキングである。
【００１５】
したがって、前記連結部１３に設けた雄ネジ１５と前記接続管１４の端部に取り付けた雌ネジ部１６とで連結部１３と接続管１４との連結状態を保持し、さらにコイル状のバネ１９で連結部１３の端部と雌ネジ部１６の内奥壁とを押圧することにより、連結部１３と接続管１４との間は常に加圧された状態となっている。すなわち、前記コイル状のバネ１９によって前記塗料容器１２を所定の角度で保持することができるのである。
図中２１は前記連結部１３に設けた雄ネジ１５に取り付けた板状の固定ネジで、これを雌ネジ部１６と相対的にねじ合わせることにより雌ネジ部１６を所定位置に固定することができる。
【００１６】
もちろん前記継手は、固定ネジ２１を雌ネジ部１６端部から緩め、雌ネジ部１６を前記連結部１３に設けた雄ネジ１５上から取り外すことにより分解することができ、別の塗料容器１２に取り替えることも簡単に行うことができる。
【産業上の利用可能性】
【００１７】
この考案は塗装用スプレーガンについてのみならず、吹付け用の種々の用途のスプレーガンに取り付ける容器の角度保持機構として有効に適用することが可能であることはいうまでもない。
【図面の簡単な説明】
【００１８】
【図１】この考案のスプレーガンの容器接続継手の一実施例を示す側面図である。
【図２】継手部分を分解した状態の正面図である。
【図３】継手部分の拡大断面図である。
【符号の説明】
【００１９】
１１  スプレーガン本体
１２  塗料容器
１３  連結部
１４  接続管
１５  雄ネジ
１６  雌ネジ部
１７  角度保持機構
１８  ワッシャ
１９  コイル状のバネ
２０  パッキング
２１  固定ネジ
【図１】
0003116288.tif 000003
【図２】
0003116288.tif 000004
【図３】
0003116288.tif 000005